(57)【要約】【課題】  ＩＰ網に接続される一つのＩＰ回線における同時通話の際に充分な通話品質を確保することができる電話システムを提供することを目的とする。【解決手段】  分配装置Ｄ１とＩＰ網／公衆網１００とを接続するＩＰ回線を利用する同時通話数を制限するために、ＩＰ網／公衆網１００に接続するＳＩＰサーバＳＳは、そのＩＰ回線に接続する分配装置Ｄ毎に、その分配装置Ｄが収容するＩＰ回線Ｌを利用して通話中の通信端末ＥＰの情報、そのＩＰ回線Ｌを利用できる同時通話数の上限、および現在の同時通話数を記憶する管理サーバＳＳを備え、同時通話上限数を超えて無線端末装置ＥＰ１１が通話を行う場合には、呼接続要求をモバイル網２００へ迂回させる。【選択図】  図１
2009182887.tif 000002
【特許請求の範囲】
【請求項１】
無線通信端末との間で無線通信を行うモバイル網に接続されると共に、前記無線通信端末を含む複数の通信端末で共用され、かつ電話網からの呼接続要求を前記通信端末に伝送するＩＰ回線を利用した電話システムにおいて、
前記ＩＰ回線に係る前記通信端末の同時通話上限数を記憶した同時通話上限数記憶手段と、
前記無線通信端末への呼接続要求を前記電話網より受信した場合に、前記ＩＰ回線を利用した前記通信端末に係る同時通話数と前記同時通話上限数とを比較し、前記電話網からの呼接続要求を許可するか否かを判断する上限数判断手段と、
前記上限数判断手段にて前記ＩＰ回線を介した呼接続要求を許可しないと判断した場合、前記呼接続要求を前記モバイル網に転送する手段と、
前記上限数判断手段にて前記ＩＰ回線を介した呼接続要求を許可すると判断した場合、前記呼接続要求を前記ＩＰ回線を介して前記無線通信端末へ転送する手段と
を有することを特徴とする電話システム。
【請求項２】
前記無線通信端末毎に対応付けた着信許可する発信元番号を記憶する着信許可番号記憶手段と、
前記上限数判断手段にて前記ＩＰ回線を利用した呼接続要求を許可すると判断した場合に、発信元番号が前記着信許可番号記憶手段に記憶されているか否かを判断する着信許可判断手段とをさらに有し、
前記着信許可判断手段にて前記発信元番号が記憶されていると判断した場合は、前記発信元番号に対応付けた発信先の前記無線通信端末に前記ＩＰ回線を介して呼接続要求を転送することを特徴とする請求項１に記載の電話システム。
【請求項３】
無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムにおいて、
前記無線アクセスポイントに設けられ、前記無線通信端末からの前記電話網への発信に係る識別情報が付された呼接続要求を受信した場合、前記識別情報を無効化して前記呼接続要求を転送する手段と、
前記ＩＰ回線に係る前記通信端末の同時通話上限数を記憶した同時通話上限数記憶手段と、
前記識別情報が無効化された呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段とを有し、
前記上限数判断手段にて前記ＩＰ回線を介した呼接続要求を許可しないと判断した場合、前記呼接続要求を無効にすることを特徴とする電話システム。
【請求項４】
前記無線通信端末は、前記呼接続要求が前記上限数判断手段によって許可されなかった場合、呼接続ができないことを前記無線通信端末にて報知する報知手段を有することを特徴とする請求項３に記載の電話システム。
【請求項５】
無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムにおいて、
前記無線アクセスポイントに設けられ、前記無線通信端末から前記電話網への発信に係る識別情報が付された呼接続要求を受信した場合、前記識別情報を無効化して前記呼接続要求を転送する手段と、
前記ＩＰ回線に係る前記通信端末の同時通話上限数を記憶した同時通話上限数記憶手段と、
前記識別情報が無効化された呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段と、
前記無線通信端末に設けられ、接続中の網に関する情報を報知する報知手段とを有し、
前記上限数判断手段にて前記ＩＰ回線を介した呼接続要求を許可しないと判断した場合、呼接続要求不許可の通知を前記無線通信端末へ送信し、
前記呼接続要求不許可の通知を受信した前記無線通信端末は、前記呼接続要求に付されている前記識別情報を削除して、前記呼接続要求をモバイル網へ再送信することを特徴とする電話システム。
【請求項６】
無線通信端末との間で無線通信を行うモバイル網に接続されると共に、前記無線通信端末を含む複数の通信端末で共用され、かつ電話網からの呼接続要求を前記通信端末に伝送するＩＰ回線を利用した電話システムにて利用されるサーバ装置において、
前記ＩＰ回線に係る前記通信端末の同時通話上限数を記憶した同時通話上限数記憶手段と、
前記無線通信端末への呼接続要求を前記電話網より受信した場合に、前記ＩＰ回線を利用した前記通信端末に係る同時通話数と前記同時通話上限数とを比較し、前記電話網からの呼接続要求を許可するか否かを判断する上限数判断手段と、
前記上限数判断手段にて前記ＩＰ回線を介した呼接続要求を許可しないと判断した場合、前記呼接続要求を前記モバイル網に転送する手段と、
前記上限数判断手段にて前記ＩＰ回線を介した呼接続要求を許可すると判断した場合、前記呼接続要求を前記ＩＰ回線を介して前記無線通信端末へ転送する手段とを有することを特徴とするサーバ装置。
【請求項７】
前記無線通信端末毎に対応付けた着信許可する発信元番号を記憶する着信許可番号記憶手段と、
前記上限数判断手段にて前記ＩＰ回線を介した呼接続要求を許可すると判断した場合に、発信元番号が前記着信許可番号記憶手段に記憶されているか否かを判断する着信許可判断手段とをさらに有し、
前記着信許可判断手段にて前記発信元番号が記憶されていると判断した場合は、前記発信元番号に対応付けた発信先の前記無線通信端末に前記ＩＰ回線を経由して呼接続要求を転送することを特徴とする請求項６に記載のサーバ装置。
【請求項８】
無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムで利用されるサーバ装置において、
前記ＩＰ回線に係る前記通信端末の同時通話上限数を記憶した同時通話上限数記憶手段と、
前記無線通信端末からの呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段とを有し、
前記上限数判断手段にて前記ＩＰ回線を介した呼接続要求を許可しないと判断した場合、前記呼接続要求を無効にすることを特徴とするサーバ装置。
【発明の詳細な説明】
【技術分野】
【０００１】
本発明は、ＩＰ回線を利用して複数の通信端末による同時通話が可能な電話システムに関する。
【背景技術】
【０００２】
近年、携帯電話やＰＨＳなどの無線通信端末を固定電話の子機として使用することが可能な、固定電話と無線通信端末との融合であるＦＭＣ（Fixed Mobile Convergence）サービスが提供されている。このＦＭＣによって、無線通信端末と子機の２つの端末の機能を１つの端末で使用することができたり、固定電話網が利用できるエリアに無線通信端末が在圏している際は、無線通信端末を子機として使用することでモバイル網よりも通信料金のより安価な固定電話網を介して通話することができたりするようになった。
【０００３】
このようなサービスは主に企業の内線電話で利用することが多かったが、一般家庭へのＩＰ回線の普及に伴い、無線通信端末を家庭内では固定電話の子機として利用することができるようになりつつある。
【０００４】
また、このようなＩＰ回線を利用して通話を行う電話システムでは、一つのＩＰ回線に複数の電話番号を設けることもできる。このような場合、柔軟な着信制御を行うために、ＩＰ回線に設けられた電話番号毎の同時通話数を制限するという技術が知られている（特許文献１）。
【特許文献１】特開２００６−１９７２９６号公報
【発明の開示】
【発明が解決しようとする課題】
【０００５】
しかしながら、上記の従来技術では、一般家庭のＩＰ回線を利用して多数の通話を同時に行うと、家庭に敷設されるＩＰ回線は企業に敷設されるＩＰ回線よりも帯域が狭いために、通話品質の低下や電話が繋がりにくくなる輻輳を引き起こす。
【０００６】
また、これを回避するためにＩＰ回線を利用した同時通話が制限された場合、子機として使用された状態での無線通信端末においても発着信ができなくなるといった問題が生じていた。
【０００７】
本発明は、上記問題点を解決するためになされたもので、ＩＰ網に接続される一つのＩＰ回線における同時通話の際に充分な通話品質を得ることができると共に、無線通信端末での発着信の機会をより確保することができる電話システムを提供することを目的とする。
【課題を解決するための手段】
【０００８】
本発明による電話システムは、無線通信端末との間で無線通信を行うモバイル網に接続されると共に、前記無線通信端末を含む複数の通信端末で共用され、かつ電話網からの呼接続要求を前記通信端末に伝送するＩＰ回線を利用した電話システムにおいて、前記ＩＰ回線に係る前記通信端末の同時通話上限数を記憶した同時通話上限数記憶手段と、前記無線通信端末への呼接続要求を前記電話網より受信した場合に、前記ＩＰ回線を利用した前記通信端末に係る同時通話数と前記同時通話上限数とを比較し、前記電話網からの呼接続要求を許可するか否かを判断する上限数判断手段と、前記上限数判断手段にて前記ＩＰ回線を介した呼接続要求を許可しないと判断した場合、前記呼接続要求を前記モバイル網に転送する手段と、前記上限数判断手段にて前記ＩＰ回線を介した呼接続要求を許可すると判断した場合、前記呼接続要求を前記ＩＰ回線を介して前記無線通信端末へ転送する手段とを有することを特徴としている。
【０００９】
また、本発明による電話システムは、無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムにおいて、前記無線アクセスポイントに設けられ、前記無線通信端末からの前記電話網への発信に係る識別情報が付された呼接続要求を受信した場合、前記識別情報を無効化して前記呼接続要求を転送する手段と、前記ＩＰ回線に係る前記通信端末の同時通話上限数を記憶した同時通話上限数記憶手段と、前記識別情報が無効化された呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段とを有し、前記上限数判断手段にて前記ＩＰ回線を介した呼接続要求を許可しないと判断した場合、前記呼接続要求を無効にすることを特徴としている。
【００１０】
また、本発明による電話システムは、無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムにおいて、前記無線アクセスポイントに設けられ、前記無線通信端末から前記電話網への発信に係る識別情報が付された呼接続要求を受信した場合、前記識別情報を無効化して前記呼接続要求を転送する手段と、前記ＩＰ回線に係る前記通信端末の同時通話上限数を記憶した同時通話上限数記憶手段と、前記識別情報が無効化された呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段と、前記無線通信端末に設けられ、接続中の網に関する情報を報知する報知手段とを有し、前記上限数判断手段にて前記ＩＰ回線を介した呼接続要求を許可しないと判断した場合、呼接続要求不許可の通知を前記無線通信端末へ送信し、前記呼接続要求不許可の通知を受信した前記無線通信端末は、前記呼接続要求に付されている前記識別情報を削除して、前記呼接続要求をモバイル網へ再送信することを特徴としている。
【００１１】
また、本発明によるサーバ装置は、無線通信端末との間で無線通信を行うモバイル網に接続されると共に、前記無線通信端末を含む複数の通信端末で共用され、かつ電話網からの呼接続要求を前記通信端末に伝送するＩＰ回線を利用した電話システムにて利用されるサーバ装置において、前記ＩＰ回線に係る前記通信端末の同時通話上限数を記憶した同時通話上限数記憶手段と、前記無線通信端末への呼接続要求を前記電話網より受信した場合に、受信後の前記ＩＰ回線を利用した前記通信端末に係る同時通話数と前記同時通話上限数とを比較し、前記電話網からの呼接続要求を許可するか否かを判断する上限数判断手段と、前記上限数判断手段にて前記ＩＰ回線を介した呼接続要求を許可しないと判断した場合、前記呼接続要求を前記モバイル網に転送する手段と、前記上限数判断手段にて前記ＩＰ回線を介した呼接続要求を許可すると判断した場合、前記呼接続要求を前記ＩＰ回線を介して前記無線通信端末へ転送する手段とを有することを特徴としている。
【００１２】
また、本発明によるサーバ装置は、無線通信端末との間で無線通信を行うモバイル網に接続されると共に無線アクセスポイントと通信可能な無線通信端末を含む複数の通信端末で共用され、かつ電話網への呼接続要求を伝送するＩＰ回線を利用した電話システムで利用されるサーバ装置において、前記ＩＰ回線に係る前記通信端末の同時通話上限数を記憶した同時通話上限数記憶手段と、前記無線通信端末からの呼接続要求を受信した場合に、受信後の前記ＩＰ回線を利用した前記通信端末に係る同時通話数と前記同時通話上限数とを比較し、前記ＩＰ回線を介した呼接続要求を許可するか否かを判断する上限数判断手段とを有し、前記上限数判断手段にて前記ＩＰ回線を介した呼接続要求を許可しないと判断した場合、前記呼接続要求を無効にすることを特徴としている。
【発明の効果】
【００１３】
本発明によれば、ＩＰ網に接続される一つのＩＰ回線における同時通話の際に充分な通話品質を得ることができると共に、無線通信端末での発着信の機会をより確保することができる。
【発明を実施するための最良の形態】
【００１４】
以下、本発明の実施例を図面を参照して説明する。
【実施例１】
【００１５】
図１は、この発明に関わる電話システムの一実施の形態を示す図である。  
この電話システムは、電話網であるＩＰ網／公衆網１００とモバイル網２００、ＳＩＰサーバＳＳ（管理サーバ）、分配装置Ｄ１、Ｄ２、Ｄ３、複数の通信端末ＥＰ１１（無線通信端末）、ＥＰ１２、ＥＰ１３、ＥＰ２０、ＥＰ３０、…、ＥＰｎ、ＩＰ網／公衆網１００と分配装置Ｄ１を接続するＩＰ回線Ｌ１を備えて構成される。
【００１６】
ＩＰ網／公衆網１００には、網と網とを中継する分配装置Ｄ１、Ｄ２、Ｄ３、ＶｏＩＰ（Voice over IP）を制御するＳＩＰ（Session Initiation Protocol）サーバＳＳ（管理サーバ）、およびモバイル網２００が接続される。モバイル網２００には、無線基地局装置ＢＳ１、ＢＳ２がさらに接続される。
【００１７】
分配装置Ｄ１には通信端末ＥＰ１１、ＥＰ１２、ＥＰ１３、…、ＥＰｎが接続され、分配装置Ｄ２、Ｄ３にはそれぞれ通信端末ＥＰ２０、ＥＰ３０が接続され、通信端末ＥＰと分配装置Ｄの間は有線または無線で接続することができる。ここでは分配装置Ｄ１は、無線アクセスポイントと一体となっているものを図示している。なお、分配装置Ｄは無線アクセスポイントと一体となっていなくてもよく、分配装置Ｄ１のローカル側のネットワークに無線アクセスポイントが接続される形でもよい。例えば、分配装置Ｄ１に無線アクセスポイントが接続するように構成してもよい。
【００１８】
また、通信端末ＥＰ１１（無線通信端末）は、無線アクセスポイントおよび分配装置Ｄ１を介してＩＰ網／公衆網１００へ接続することも、無線基地局装置ＢＳ１を介してモバイル網２００へ接続することもできるようになっている。ここでは、分配装置Ｄ１は家庭に設けられたルータを想定し、無線アクセスポイントを備えた分配装置Ｄ１に無線で接続することができる通信端末ＥＰ１１は、モバイル網２００を利用しての通信と分配装置Ｄ１を利用しての通信の両方が可能な状態を示している。
【００１９】
また、ＳＩＰサーバＳＳは、ＩＰ網／公衆網１００から送られてくる呼接続要求を受信し、所定の判断の基にその呼接続要求を転送するようになっている。
【００２０】
図２は、無線アクセスポイントを内蔵した分配装置Ｄ１の構成を示した図である。  
分配装置Ｄ１は、ＷＡＮ側であるＩＰ網／公衆網１００およびＬＡＮ側である各通信端末装置ＥＰへ接続する通信インターフェース部２０、受信したデータをバッファリングしたりＩＰアドレスを記憶したりする記憶部２２、およびこれらを制御する制御部２１を備えているものである。この分配装置Ｄ１は、ＬＡＮ側からＷＡＮ側へまたはＷＡＮ側からＬＡＮ側へルーティングを行うものである。
【００２１】
さらに、通信インターフェース部２０には、無線で通信を行う無線部２０ａ（無線アクセスポイント）が備えられている。この無線部２０ａは、無線基地局装置ＢＳ１で使用される周波数や通信方式と同一の周波数や通信方式で通信することができるようになっている。
【００２２】
また、制御部２１は、通信端末ＥＰ１１（無線通信端末）から送られてくる識別情報を付された呼接続要求を受信した場合、この識別情報を無効化して呼接続要求を転送するようになっている。なお、識別情報を無効化する方法としては、識別情報を削除したり、この識別情報を無視するような命令をこの呼接続要求にさらに付するようにしたりする。この実施例では、識別情報を削除することによって無効化する方法を例に説明することとする。
【００２３】
図３は、ＳＩＰサーバＳＳの構成を示した図である。  
ＳＩＰサーバＳＳは、通信インターフェース部３０、呼制御部３１（上限数判断手段）、記憶部３２、管理部３３が備えられている。呼制御部３１と管理部３３とは互いに接続され、それぞれ通信インターフェース部３０と記憶部３２にも接続されている。
【００２４】
通信インターフェース部３０は、ＩＰ網／公衆網１００へ接続するためのインターフェースであり、網から呼接続要求を受信したり、網へ呼接続不許可通知を送信したりするものである。
【００２５】
管理部３３は通信インターフェース部３０から受信した情報を記憶部３２に記憶したり更新したりするものである。
【００２６】
呼制御部３１は、管理部３３が管理する記憶部３２の情報を基に、通信インターフェース部３０が受信する呼接続要求を許可してよいか否かを判断し（上限数判断手段、着信許可判断手段）、呼接続要求を転送したり、呼接続不許可の通知を送信（呼接続要求を無効にする）したりするものである。
【００２７】
記憶部３２は、固定電話の情報、通話品質を一定に保つために必要な同時通話数の上限、および現在の同時通話数を記憶する同時通話上限数管理テーブル３２ａ（同時通話上限数記憶手段）と、無線通信端末毎にＩＰ網／公衆網１００（固定電話網）を経由して着信を許可する番号を記憶する着信許可番号管理テーブル３２ｂ（着信許可番号記憶手段）を備える。これらのテーブル３２ａ、３２ｂは、管理部３３によって管理され呼制御部３１の呼制御の判断材料として参照されるものである。
【００２８】
図４は、通信端末ＥＰ１１の構成を示した図である。  
通信端末ＥＰ１１は、通信インターフェース部４０、制御部４１、記憶部４２、およびユーザインターフェース部４３が備えられている。制御部４１は、通信インターフェース部４０、記憶部４２、およびユーザインターフェース部４３に接続されている。
【００２９】
通信インターフェース部４０は、無線基地局装置ＢＳおよび無線アクセスポイントと無線で通信するものである。記憶部４２は、電話帳や発着信履歴などの様々な情報を記憶するものである。また、ユーザインターフェース部４３は、ディスプレイ、入力ボタン、スピーカなどを備え、通話や通信端末ＥＰ１１の操作だけでなく、接続中の網に関する情報を報知することもできる（報知手段）ようになっている。
【００３０】
図５は、同時通話上限数管理テーブル３２ａの一例を示したものである。  
同時通話上限数管理テーブル３２ａには、加入者のＩＰ電話番号、この加入者のルータのＩＰアドレス、このルータと網を接続しているＩＰ回線Ｌ１を利用しての同時通話数の上限、および現在の同時通話数が記憶されている。また、利便性のために、加入者毎に与えられたＦＭＣの識別情報であるＦＭＣ  ＩＤをさらに記憶されていてもよい。
【００３１】
例えば、ＦＭＣ  ＩＤがｘｘｘｘｘｘｘ１の加入者のＩＰ電話番号は０３−ｘｘｘｘ−ｙｙｙｙ、そのＩＰアドレスは１９２．１６８．ｘｘｘ．ｙｙｙ、同時通話数の上限は「４」、現在の同時通話数は「１」であることを示している。
【００３２】
図６は、着信許可番号管理テーブル３２ｂの一例を示したものである。  
着信許可番号管理テーブル３２ｂには、ＦＭＣ  ＩＤ毎にそれに対応する電話番号の電話の子機として使用できる携帯電話番号とそのＩＰアドレス、この携帯電話番号のサービス状態や通話状態、およびこの携帯電話番号に着信があった場合に固定電話網から呼び出したい発信元の電話番号である着信許可番号が記憶されている。
【００３３】
例えば、ＦＭＣ  ＩＤがｘｘｘｘｘｘｘ１の子機として携帯電話番号０９０−ｘｘｘｘ−ａｂｃｄが記憶され、そのＩＰアドレスは１９２．１６８．ｘｘｘ．０１０である。この携帯電話番号のサービス状態は、この携帯電話番号に呼接続要求があった場合に固定電話網から呼び出すというサービス（以下、ＦＭＣサービスと表記する。）の「開始中」であることを示している。もしこのＦＭＣサービスが「停止中」の場合には、全ての呼接続要求に対してモバイル網からこの携帯電話番号を呼び出すようになっている。また、通話状態は「話中」であることを示している。さらに、この携帯電話番号の着信許可番号は０９０−ｘｘｘｘ−ｂｂｃｄ、０９０−ｘｘｘｘ−ｅｆｇｈ、０３−ｘｘｘｘ−ｉｊｋｌの３つであることを示している。
【００３４】
着信許可番号管理テーブル３２ｂに記憶されているこれらの要素のうち、携帯電話番号、その携帯電話番号毎のサービス状態、およびその携帯電話番号毎の着信許可番号はＳＩＰサーバＳＳにアクセス可能なコンピュータや携帯電話などから設定を行うことができるようになっている。
【００３５】
次に、図７を参照して通信端末ＥＰ１１へ着信する場合の電話システムの動作を示す。  
ここでは、一例として、ＦＭＣサービスが停止中の場合に通信端末ＥＰ３０から通信端末ＥＰ１１へ着信がある場合と、ＦＭＣサービスが開始中の場合に通信端末ＥＰ２０から通信端末ＥＰ１１へ着信がある場合について説明する。
【００３６】
通信端末ＥＰ１１が分配装置Ｄ１と通信できない場所で無線基地局装置ＢＳ１の無線ゾーンに在圏しているとする。このとき、通信端末ＥＰ３０から通信端末ＥＰ１１への呼接続要求が送信され、無線基地局装置ＢＳ１を介して通信端末ＥＰ１１がこの呼接続要求を受信する（Ｓ１０１）。呼接続要求を受信した通信端末ＥＰ１１は、呼接続要求応答を無線基地局装置ＢＳ１へ送信し（Ｓ１０２）、呼接続中となる（Ｓ１０３）。
【００３７】
通信端末ＥＰ１１から呼を切断するときは、通信端末ＥＰ１１が呼切断要求を無線基地局装置ＢＳ１を介して通信端末ＥＰ３０へ送信し（Ｓ１０４）、この呼切断要求を受信した通信端末ＥＰ３０が無線基地局装置ＢＳ１を介して通信端末ＥＰ１１へ呼切断要求応答を送信することで呼が切断される（Ｓ１０５）。
【００３８】
その後、通信端末ＥＰ１１が分配装置Ｄ１の無線ゾーンに在圏すると（Ｓ１０６）、通信端末ＥＰ１１のユーザが通信端末ＥＰ１１のＦＭＣサービスを開始することを通信端末ＥＰ１３を使用して管理サーバＳＳに登録する（Ｓ１０７）。この登録を行うことによって、この通信端末ＥＰ１１のＦＭＣサービスが開始中となる。
【００３９】
ＦＭＣサービスが開始中の場合に、通信端末ＥＰ２０から通信端末ＥＰ１２への呼接続要求が網へ送信される（Ｓ１０８）。この呼接続要求を管理サーバＳＳが受信すると、受信後のＩＰ回線を利用した通話を行う通信端末に係る同時通話数と同時通話上限数とを比較し、呼接続要求を許可するか否か、および発信元番号が着信許可番号管理テーブル３２ｂに記憶されているか否かを判断し（Ｓ１０９）、呼接続要求を許可すると判断し発信元番号が着信許可番号管理テーブル３２ｂに記憶されている場合は、呼接続要求をＩＰ網／公衆網１００を介して通信端末ＥＰ１１へ転送する（Ｓ１１０）。この呼接続要求を受信した通信端末ＥＰ１１は、呼接続要求応答を管理サーバＳＳへ送信する（Ｓ１１１）。呼接続要求応答を管理サーバＳＳが受信すると、同時通話上限数管理テーブル３２ａおよび着信許可番号管理テーブル３２ｂの分配装置Ｄ１の欄を更新し（Ｓ１１２）、通信端末ＥＰ１１と通信端末ＥＰ２０は呼接続される（Ｓ１１３）。
【００４０】
通信端末ＥＰ１１から呼を切断するときは、通信端末ＥＰ１１が呼切断要求を分配装置Ｄ１を介して通信端末ＥＰ２０へ送信し（Ｓ１１４）、この呼切断要求を受信した通信端末ＥＰ２０が管理サーバＳＳへ呼切断要求応答を送信することで呼が切断され（Ｓ１１５）、同時通話上限数管理テーブルおよび着信許可番号管理テーブル３２ｂの分配装置Ｄ１の欄を更新する（Ｓ１１６）。
【００４１】
次に、図８を参照して通信端末ＥＰ１１が発信する場合の電話システムの動作を示す。  
ここでは、一例として、通信端末ＥＰ１１が分配装置Ｄ１の無線ゾーン内に在圏している場合に、モバイル網２００ではなく分配装置Ｄ１を利用して通信端末ＥＰ１１から通信端末ＥＰ３０へ発信する場合について説明する。
【００４２】
この通信端末ＥＰ１１は、分配装置Ｄ１の無線ゾーン内に在圏しているが、同時にモバイル網２００に接続されている無線基地局装置ＢＳ１の無線ゾーン内にも在圏している。通常の発信手順のように発信先の電話番号のみをダイヤルすると、分配装置Ｄ１と無線基地局装置ＢＳ１のどちらにも発信することができるため、分配装置Ｄ１に識別情報を設定しておくこととする。分配装置Ｄ１を介して通話するための識別情報を発信先の電話番号の先頭に付加し、その識別情報を受信した分配装置Ｄ１を介して発信するようにした。このとき、この識別情報を設定されていないモバイル網２００に接続された無線基地局装置ＢＳ１は、この識別情報を無効情報と判断するため、分配装置Ｄ１を介して発信することができる。
【００４３】
まず、通信端末ＥＰ１１から識別情報をダイヤルしてから発信先電話番号をダイヤルする（Ｓ２０１）。ここでは、識別情報の一例として＃を挙げる。この識別情報である＃をダイヤルしてから発信先電話番号をダイヤルする。通信端末ＥＰがダイヤルすると、通信端末ＥＰ３０への呼接続要求が管理サーバＳＳへ送られる（Ｓ２０２）。この呼接続要求を受信した管理サーバＳＳは、受信後のＩＰ回線を利用した通話を行う通信端末に係る通話数と同時通話上限数とを比較し、呼接続要求を許可するか否かを判断し（Ｓ２０３）、呼接続要求を許可すると通信端末ＥＰ３０へ呼接続要求を転送する（Ｓ２０４）。この呼接続要求を受信した通信端末ＥＰ３０は、管理サーバＳＳに呼接続要求応答を送信し（Ｓ２０５）、呼接続要求応答を受信した管理サーバＳＳは、同時通話上限数管理テーブル３２ａおよび着信許可番号管理テーブル３２ｂの分配装置Ｄ１の欄を更新し（Ｓ２０６）、呼接続される（Ｓ２０７）。呼接続されると、通信端末ＥＰ１１は接続中の網に関する情報を、ディスプレイへの表示、音、光、振動などによって報知する。
【００４４】
通信端末ＥＰ１１から呼を切断するときは、通信端末ＥＰ１１が呼切断要求を分配装置Ｄ１を介して通信端末ＥＰ３０へ送信し（Ｓ２０８）、この呼切断要求を受信した通信端末ＥＰ３０が管理サーバＳＳへ呼切断要求応答を送信することで呼が切断され（Ｓ２０９）、同時通話上限数管理テーブル３２ａおよび着信許可番号管理テーブル３２ｂの分配装置Ｄ１の欄を更新する（Ｓ２１０）。
【００４５】
次に、図９を参照して管理サーバの処理について説明する。  
まず、呼接続要求を受信したかを判断し（Ｓ３０１）、受信していなければ処理Ｓ３０１を繰り返す。呼接続要求を受信すると、その呼接続要求がＳＩＰサーバＳＳの管理しているＩＰ回線に接続する通信端末への呼接続要求か否かを判断する（Ｓ３０２）。
【００４６】
ＳＩＰサーバＳＳの管理しているＩＰ回線に接続する通信端末への呼接続要求であれば、その発信先の通信端末ＥＰがＦＭＣサービスの開始中であるか否かを着信許可番号管理テーブル３２ｂを参照して判断する（Ｓ３０３）。ＦＭＣサービスが停止中であれば、モバイル網２００に呼接続要求を転送する（Ｓ３０３）。ＦＭＣサービスが開始中であれば、受信後のＩＰ回線を利用した通話を行う通信端末に係る通話数と同時通話上限数とを比較し、呼接続要求を許可するか否かを判断する（Ｓ３０４）。
【００４７】
同時通話数が上限に達していれば呼接続要求を許可しないと判断し、モバイル網２００に呼接続要求を転送する（Ｓ３０５）。同時通話数が上限未満であれば、発信先番号が着信許可番号管理テーブル３２ｂに記憶されているか否かを判断する（Ｓ３０６）。記憶されていなければ、呼接続要求を許可しモバイル網２００に呼接続要求を転送する（Ｓ３０５）。
【００４８】
着信許可番号管理テーブル３２ｂに記憶されていれば、発信先番号が話中であるか否かを判断する（Ｓ３０７）。話中であれば、その発信先番号に対応する固定電話の加入者電話番号へ呼接続要求を転送する（Ｓ３０８）。話中でなければ、発信先の通信端末へ呼接続要求を転送する（Ｓ３０９）。呼接続要求を転送した後は、呼接続されたか否かを判断し（Ｓ３１０）、呼接続されたことを検出しなければ処理Ｓ３１０を繰り返す。
【００４９】
呼接続がなされると、同時通話上限数管理テーブル３２ａおよび着信許可番号管理テーブル３２ｂを更新する（Ｓ３１１）。その後、呼接続が切断されたか否かを判断し（Ｓ３１２）、呼接続の切断を検出しなければ処理Ｓ３１２を繰り返す。呼接続が切断されると、同時通話上限数管理テーブル３２ａおよび着信許可番号管理テーブル３２ｂを更新する（Ｓ３１３）。
【００５０】
処理Ｓ３０２において、受信した呼接続要求が、ＳＩＰサーバＳＳが管理しているＩＰ回線に接続している通信端末への呼接続要求ではない場合は、受信した呼接続要求が、ＳＩＰサーバＳＳが管理しているＩＰ回線に接続している通信端末からの呼接続要求か否かを判断する（Ｓ３１４）。ＳＩＰサーバＳＳが管理しているＩＰ回線に接続している通信端末からの呼接続要求でなければ、モバイル網２００に呼接続要求を転送する（Ｓ３０５）。
【００５１】
ＳＩＰサーバＳＳが管理しているＩＰ回線に接続している通信端末からの呼接続要求であれば、呼接続要求を受信後のＩＰ回線を利用した通話を行う通信端末に係る通話数と同時通話上限数とを比較し、呼接続要求を許可するか否かを判断する（Ｓ３１５）。同時通話数が上限未満であれば、発信先番号へ呼接続要求を転送する（Ｓ３０９）。同時通話数が上限に達していれば呼接続要求を無効化する（Ｓ３１６）。本実施例では、呼接続要求を無効化する方法として、呼接続要求不許可の通知を発信元へ送信するように構成した。なお、呼接続要求を無効化する方法は、ＳＩＰサーバＳＳでこの呼接続要求は破棄するようにするなど、呼接続しない処理を行うようにしてもよい。
【００５２】
以上のように、管理サーバＳＳに着信許可番号管理テーブル３２ｂを備えることで、固定電話網を利用して通話したい相手とモバイル網を利用して通話したい相手で、利用する網を使い分けることができる。また、管理サーバＳＳに同時通話上限数管理テーブル３２ｂおよび管理部３３を備えることで、同時通話を行ってもＩＰ回線Ｌ１での輻輳を防ぎ、一定の音声品質を得ると同時に、ＩＰ回線Ｌ１を利用しての同時通話上限数を上回る場合にモバイル網へ呼接続要求を迂回させるため、ＩＰ回線Ｌ１を利用できない場合の通話にも対応することができる。
【００５３】
さらに、無線アクセスポイントを利用して通話可能な無線ゾーンに在圏している場合、例えば無線アクセスポイントが設置された自宅に居る場合、自宅で無線通信端末を利用する際に、自宅が無線基地局装置ＢＳ１の無線ゾーンに在圏していても電波状況が良くない場合に、ＩＰ回線を利用した同時通話数が上限以内であれば安定した電波状況である自宅の無線アクセスポイントを利用することができるため、よりユーザの利便性が高くなる。
【実施例２】
【００５４】
実施例１では、例えば分配装置Ｄ１の無線ゾーンに通信端末ＥＰ１１が在圏しているときに、分配装置Ｄ１を介して通信端末ＥＰ１１が発着信する例を示した。しかしながら、通信端末ＥＰ１１が分配装置Ｄ１を介して発信する際は、電話番号の先頭に識別情報を付して発信し、利用するＩＰ回線Ｌ１の同時通話数が上限未満であれば呼接続要求が許可されるが、同時通話数が上限に達していれば、分配装置Ｄ１を介して呼接続することができないため、識別情報を削除して無線基地局装置ＢＳ１を介して呼接続要求を改めて送信することになる。
【００５５】
そこで、実施例２では、分配装置Ｄ１を介して呼接続することができない場合に、無線基地局装置ＢＳ１を介して呼接続要求を送信することを、通信端末が自動で行う（再送信）方法について説明する。
【００５６】
図１０は、実施例２に関わる通信端末ＥＰ１１の機能ブロック図である。  
移動端末ＥＰ１１は、通信インターフェース部４００、発信先設定部４０１、記憶部４０２、発信先判断部４０３、およびユーザインターフェース部４０４を備える。
【００５７】
発信先設定部４０１は、通信インターフェース部４００、記憶部４０２、発信先判断部４０３、およびユーザインターフェース部４０４と接続され、さらに、通信インターフェース部４００と発信先判断部４０３が接続されている。
【００５８】
通信インターフェース部４００は、無線通信基地局装置ＢＳ１や分配装置Ｄ１と無線で通信するためのインターフェースであり、ユーザインターフェース部４０４は、発着信の操作を行うボタン等である。発信先設定部４０１は、発信先電話番号の先頭に識別情報を付したり、付されている識別情報を削除したりするものである。ユーザインターフェース部４０４で発信の操作がなされると、発信先設定部４０１は、発信先の電話番号に例えば＃などの識別情報を付し、通信インターフェース部４００から呼接続要求が発信されるようになっている。
【００５９】
また、発信先判断部４０３は、通信インターフェース部４００から発信した呼接続要求に対しての呼接続不許可の通知を受信すると、呼接続不許可となった発信先電話番号の先頭に識別情報が付されているか否かを判断するものである。記憶部４０２は、発信先判断部４０３が判断する発信先電話番号を一時的に記憶するようになっている。
【００６０】
通信端末ＥＰ１１以外の構成は図１乃至図３と同じであるため、同一符号を付して説明を省略する。
【００６１】
次に、図１１を参照して、通信端末ＥＰ１１から発信する際の動作について説明する。  
ここでは、通信端末ＥＰ１１が分配装置Ｄ１を介して発信し、利用するＩＰ回線Ｌ１の同時通話数の上限に達しているために管理サーバＳＳから呼接続不許可の通知を受信し、その通知を受信した通信端末ＥＰ１１が自動的にモバイル網を介して呼接続するように再発信する動作を示す。
【００６２】
まず、通信端末ＥＰ１１から、識別情報を発信先電話番号の先頭に付して発信操作が行われる（Ｓ４０１）。発信操作がなされると、呼接続要求を分配装置Ｄ１を介して管理サーバＳＳへ送信される（Ｓ４０２）。
【００６３】
呼接続要求を管理サーバＳＳが受信すると、受信後のＩＰ回線を利用した通話を行う通信端末に係る同時通話数と同時通話上限数とを比較し、呼接続要求を許可するか否かを判断する（Ｓ４０３）。ここでは、ＩＰ回線Ｌ１の同時通話数が上限に達しているため、呼接続を許可できないと判断し、管理サーバＳＳは、分配装置Ｄ１を介して通信端末ＥＰ１１へ呼接続不許可の通知を送信する（Ｓ４０４）。
【００６４】
呼接続不許可の通知を通信端末ＥＰ１１が受信すると、通信端末ＥＰは発信先電話番号の先頭に識別情報が付されているか否かを判断し、この場合は識別情報が付されているので、識別情報を削除して再発信する（Ｓ４０５）。再発信がなされると、呼接続要求を無線基地局装置ＢＳ１を介して発信先の通信端末ＥＰ３０へ送信する（Ｓ４０６）。通信端末ＥＰ３０が呼接続要求を受信すると、通信端末ＥＰ３０は呼接続要求応答を無線基地局装置ＢＳ１を介して通信端末ＥＰ１１へ送信する（Ｓ４０７）。この呼接続要求応答を通信端末ＥＰ１１が受信すると、通信端末ＥＰ１１と通信端末ＥＰ３０が呼接続される（Ｓ４０８）。呼接続されると、通信端末ＥＰ１１は接続中の網に関する情報を、ディスプレイへの表示、音、光、振動などによって報知する。
【００６５】
次に、図１２を参照して通信端末ＥＰ１１の動作について説明する。  
まず、ユーザインターフェース部４４で発信操作がなされると（Ｓ５０１）、発信先番号の先頭に識別情報を付して発信する（Ｓ５０２）。
【００６６】
発信後、管理サーバＳＳから送られてくる通知によって呼接続されたか否かを判別する（Ｓ５０３）。受信した通知が呼接続要求不許可の通知でなければ、通信端末ＥＰ１１は接続中の網に関する情報を、ディスプレイへの表示、音、光、振動などによって報知する（Ｓ５０４）。受信した通知が呼接続要求不許可の通知であれば、発信先番号の先頭に付されている識別情報を削除して再発信する（Ｓ５０５）。
【００６７】
以上のように、通信端末ＥＰ１１に再発信の動作を行う発信先設定部４１と発信先判断部４３を備えることによって、ＩＰ回線Ｌ１の同時通話数の上限を超えているために無線基地局装置ＢＳ１を介して発信しなくてはならない場合に、ユーザが再発信の操作を行わずに済むようになる。
【００６８】
なお、本発明は以上の構成に限定されるものではなく、種々の変形が可能である。例えば、報知手段は、呼接続中に報知するように記載したが、呼び出し音や音声、光、ディスプレイ表示、振動などによって接続中の網に関する情報を呼接続要求中に報知するようにしてもよい。
【図面の簡単な説明】
【００６９】
【図１】本発明の一実施の形態に係る電話システムを示した図。
【図２】本発明の一実施の形態に係るルータの構成を示した図。
【図３】本発明の一実施の形態に係るＳＩＰサーバの構成を示した図。
【図４】本発明の一実施の形態に係る通信端末の構成を示した図。
【図５】本発明の一実施の形態に係るＩＰ回線毎の同時通話数を管理する同時通話上限数管理テーブルを示した図。
【図６】本発明の一実施の形態に係るＩＰ回線を利用する固定電話の子機として登録した無線通信端末毎の着信許可番号を管理する着信許可番号管理テーブルを示した図。
【図７】本発明の一実施の形態に係る通信端末が着信する際のシーケンス図。
【図８】本発明の一実施の形態に係る通信端末が発信する際のシーケンス図。
【図９】本発明の一実施の形態に係る通信端末同士がＩＰ回線を利用して通話する際のＳＩＰサーバの動作フローチャート。
【図１０】本発明の実施例２に係る通信端末の構成を示した図。
【図１１】本発明の実施例２に係る通信端末が発信する際のシーケンス図。
【図１２】本発明の実施例２に係る通信端末が発信する際の動作フローチャート。
【符号の説明】
【００７０】
ＥＰ１１，ＥＰ１２，ＥＰ１３，ＥＰ２０，ＥＰ３０，…，ＥＰｎ…通信端末装置、Ｄ１，Ｄ２，Ｄ３…分配装置、ＳＳ…ＳＩＰサーバ、１００…ＩＰ網／公衆網、２０，３０，４０，４００…通信インターフェース部、２１，４１…制御部、３１…呼制御部、２２，３２，４２…記憶部、３２ａ…同時通話上限数管理テーブル、３２ｂ…着信許可番号管理テーブル、３３…管理部、４３，４０４…ユーザインターフェース部、４０１…発信先設定部、４０３…発信先判断部
【図１】
2009182887.tif 000003
【図２】
2009182887.tif 000004
【図３】
2009182887.tif 000005
【図４】
2009182887.tif 000006
【図５】
2009182887.tif 000007
【図６】
2009182887.tif 000008
【図７】
2009182887.tif 000009
【図８】
2009182887.tif 000010
【図９】
2009182887.tif 000011
【図１０】
2009182887.tif 000012
【図１１】
2009182887.tif 000013
【図１２】
2009182887.tif 000014